(57)【要約】【課題】、水を活性化する機能と濾過材による浄水機能とを併せ持つ、小型で簡便な蛇口直結型磁気処理浄水器を提供する。【解決手段】永久磁石を用いた磁気処理効果の高い磁場を作用させる構造によって水を活性化する機能と濾過材による浄水機能を併せ持つ、小型の蛇口直結型磁気処理浄水器を実現する。【選択図】　　　　図１
2004008875.tif 000002
【特許請求の範囲】
【請求項１】
単一または複数の濾過層を有する浄水機能のほかに、磁場による水の活性化機能を併せ持つことを特徴とする蛇口直結型浄水器浄水器。
【請求項２】
活性炭と中空糸膜フィルターの二種の濾過層を有する浄水機能のほかに、磁場による水の活性化機能を併せ持つことを特徴とする給水用蛇口直結型浄水器。
【発明の詳細な説明】
【０００１】
【発明が属する技術分野】
本発明は、水道の蛇口直結型浄水器に関するものである。
【０００２】
【従来の技術】
飲料水用の浄水器については、蛇口直結型・据置型・アンダーシンクタイプのビルトイン型など各種方式が実用化されており、濾過材として、粒状・繊維状・圧縮成型状などの活性炭・中空糸膜フィルター・セラミックス・不織布・天然石・その他抗菌材など多種類のものがある。
【０００３】
その中で、家庭用流し台で使用される蛇口直結型浄水器は、設置場所の関係から器具の大きさが自ずから制約されるために、使用される濾過材の種類も、活性炭と中空糸膜フィルターを濾過材としたものが多く見受けられる。蛇口直結型で極めて簡略化された浄水器に磁場を作用させるものも提案されたりしている。
【０００４】
このような蛇口直結型浄水器を使用している家庭では、水を活性化するための活水器を、水道の元管や給水配管の途中など、浄水器とは別の場所に設置して対処する家庭が増加する傾向にある。
【０００５】
また、蛇口直結型浄水器よりも大型の据置型やアンダーシンクタイプのビルトイン型などでは、各種濾過材の他に遠赤外線エネルギー・電磁波エネルギー・電磁波エネルギー・音波エネルギー・セラミックス処理法・天然石処理法・ミネラル添加法・情報化処理法など、水を活性化する装置が実用化されている。
【０００６】
図５，図６には、従来の技術によって永久磁石９を固定具２及び又は水路切換部３に組み込む場合の構造を示しているが、形成される磁場の磁力線の方向が一方向のみで、かつ磁力線を集約していないので、図５または図６のような構造で効果的な磁気処理を行う蛇口直結型の磁気処理浄水器を実現することは難しいと思われる。
【０００７】
しかし、多種・多量の濾過材が使用される据置型やアンダーシンクタイプのビルトイン型は、器具のサイズが大きく広い設置場所が必要で、価格や濾過材の交換費用も多額になるという難点があり、また簡略化された浄水器で磁場を作用させるものは、磁気処理効果と浄水効果とが両立しているとは言い難い。特に、環境汚染による水質悪化と高齢化社会に向かう中で、多くの人達が健康によい水を、安価で簡便な方法で摂取できればよいと願っており、効果的に水を活性化する機能と十分な浄水機能を併せ持ち、特別の設置場所を要しない、小型で安価な蛇口直結型浄水器の出現が待望されている。
【０００８】
【発明が解決しようとする課題】
解決しようとする課題は、濾過材による十分な浄水機能を有する蛇口直結型浄水器において、高い磁気処理効果によって水を活性化する機能を併せ持つ、安価で小型の蛇口直結型磁気処理浄水器を提供することである。
【０００９】
【課題を解決するための手段】
本発明は、各種濾過材を用いた濾過層による浄水機能を併せ持つ浄水器に、高い磁気処理効果によって水を活性化する機能を併せ有することを特徴とする安価で小型の蛇口直結型磁気処理浄水器を提案する。
【００１０】
【発明の実施の形態】
本発明は、蛇口直結型浄水器の構造内部に磁気処理部として組み込むことによって、水の磁気処理機能と浄水機能を併せ持つ磁気処理浄水器を、台所流しの蛇口という限られた場所に設置使用するのに適した大きさで実現する。
【００１１】
図１は、本発明における二つの濾過層を有する場合の蛇口直結型磁気処理浄水器における水処理の流れを示す。即ち、水道水または井戸水が、磁気処理効果の高い磁気処理部を通過することによって活性化された磁気処理水となり、通水路切換ツマミによって濾過層Ａ・濾過層Ｂを通る水と濾過層を通さない水に使い分ける場合の流れを示す。例えば、濾過層Ａ・濾過層Ｂを通した水は飲用水として使用し、濾過層Ａ・濾過層Ｂを通さない水は飲用以外に使用するという使い分けができる。
【００１２】
【実施例】
図２は、実施例を示す外観図である。図２において、蛇口固定具２又は及び通水路切換部３が磁気処理部であって、当該部分に磁場を働かせて磁気処理を行うための永久磁石を組み込む。
【００１３】
図３，図４は、上記図２の説明で蛇口固定具２又は及び通水路切換部３に、永久磁石を組み込む場合の構造図を示す。本発明の出願者２名が特願平１１−０１８８３９で出願済の流体磁気処理装置で提案した永久磁石９に継鉄１０を有した磁気処理部による強磁場を形成する構造を蛇口取付用として小型化したもので、永久磁石は太い矢印で示す磁力線が水の流れを直角に横切るように設置するのが重要である。
【００１４】
図３は、ＮＳ極の異極対向型配置であり、図４は、ＮＳ極の同極対向型配置である。
【００１５】
水の磁気処理を効果的に行うためには、磁束密度が高いことが必要であるが、特願平１１−０１８８３９で出願済の永久磁石に薄い継鉄を有して磁力線を集約し、方向の異なる強い磁界を２箇所に形成して磁気処理効果を高める構造になっているので、小型でも強力な磁界を効果的に形成でき、蛇口直結型磁気処理浄水器を実現することが可能となった。
【００１６】
図５，図６に示す従来の技術による永久磁石の場合、同じ磁石を使用した場合の磁束密度は図３または図４の構造の約半分程度と小さく、図３または図４と同程度の強磁場を得るには、図３または図４の場合よりもかなり磁束密度の大きい永久磁石を使用する必要があり、しかも２箇所の強磁場を形成するには、４個の永久磁石が必要で装置がさらに大きくなって、小型であることを利点とする蛇口直結型磁気処理浄水器の実現はきわめて難しい。
【００１７】
【発明の効果】
本発明は、以上説明したような構造をもっているので、いかに記載するような効果を奏する。
【００１８】
磁気処理した水には様々な効果があるが、蛇口直結型浄水器についての特徴的な効果として、磁気処理水の静菌効果がある。
【００１９】
浄水器の使用目的は、水道水に含まれる消毒用の塩素や塩素化合物あるいはいやな臭いを除去し、錆や濁りなどのミクロな汚れを除去することであるが、消毒用の塩素が除去されるので、使用しない時間帯に浄水の出口に雑菌などの細菌が繁殖しやすいという欠点があった。
【００２０】
本発明者らは、（財）日本食品分析センターに依頼して、塩素を含まない水を用いて次のような試験を行った。本発明のベースになった特願平１１−０１８８３９で出願済の流体磁気処理装置により、１回磁場を通した磁気処理水と磁場を通さない非磁気処理水について、大腸菌や葡萄状球菌などの消長について比較試験を実施した。その試験結果を表１に示す。
【００２１】
【表１】
2004008875.tif 000003
【００２２】
表１のデーターが示すように、磁気処理水は非磁気処理水に比べて、大腸菌や葡萄状球菌の繁殖を抑制する静菌効果を持つことが判明した。このことは、磁気処理すると、濾過材を通した浄水の出る給水口も雑菌が繁殖しくいことを示しており、利用者にとってより安心して飲める水を提供することができるということを意味している。
【００２３】
次に、前記の磁気処理装置を使って水道水の蛇口で効果的に磁場を作用させた場合の水道水へ与える効果について説明する。塩素で消毒された公的水道水の未処理の原水と磁気処理水について、それらの水を飲用した時に人体に与える影響を、波動測定器ＭＲＡ（Ｍａｇｎｅｔｉｃ　Ｒｅｓｏｎａｎｃｅ　Ａｎａｌｙｓｅｒ）で測定した。計測値は、マイナス１００からプラス１００の範囲内で、人体に好影響を与える場合は大きな数値を示し、人体に悪影響を与える場合は小さな数値を示す。水は、同じ水道の蛇口からほぼ同時刻に採水したもので測定した。測定結果を、表２に示す。
【００２４】
【表２】
2004008875.tif 000004
【００２５】
表２のデーターが示すように、未処理の原水に比べて磁気処理水は、人体の各部位に対して、より好影響を示す数値になっている。
【００２６】
水道水について、市販されている多くの蛇口直結型浄水器が濾過材として使用している活性炭と中空糸膜フィルターが浄水によって与える人体への効果と、磁気処理だけの場合の人体への効果比較を試みた。蛇口直結型浄水器（Ｍ社の新品）を通水した場合と浄水器は使わずに本発明と同じ構造による前記磁気処理装置を通水した場合を、測定器ＭＲＡで測定した結果は、表３に示す通りである。
【００２７】
【表３】
2004008875.tif 000005
【００２８】
表３の結果が示すように、水道水を磁気処理することによって、人体に対してより好影響を与えることが判明した。活性炭や中空糸膜フィルターで濾過することによって、塩素・塩素化合物・悪臭あるいは錆やミクロな汚れが除去されて、人体に良い水に変わることは既に明らかにされており、活性炭や中空糸膜フィルターにそのような効果があって、人体に良い効果をもたらしていることは疑う余地はないが、磁気処理による人体への効果は大変大きいと言える。
【００２９】
一方、磁気処理水は、磁場を通過させて活性化する方法であるため、水に含まれる水道のいやな臭いなどを除去することはできない。そこで、活性炭や中空糸膜フィルターなどの濾過材と磁場による活性化機能とを組み合わせることによって、飲んで美味しく、かつ体に良い水にすることができ、理想的な浄水器を具現化することができる。
【００３０】
本発明は、水を活性化するための磁気処理部である蛇口固定具２及びまたは通水路切換部３と浄水機能である濾過材容器５とは分別可能な構造になっている。磁気処理浄水器の濾過材は、寿命があるので交換する必要があるが、磁気処理部は濾過材容器５の濾過材の交換時期に関係なく、継続使用することができる利点も有り、経済的である。
【００３１】
磁気処理水の一般的な効果としては、水の分子集団が小さくなり、洗浄力・溶解力・浸透力・浄化力などに優れた活性化された水になると言われており、当然そのような一般的な効果も併せ持っている。
【００３２】
以上説明したように、従来の蛇口直結型浄水器に、磁気処理効果の高い活性化機能と濾過層による浄水機能とを一体化した簡便な蛇口直結型磁気処理浄水器を提供することによって、飲んで美味しく、体に良い水を、安価で簡便な蛇口直結型磁気処理浄水器を提供するものである。
【図面の簡単な説明】
【図１】本発明による水処理の流れを説明した図である。
【図２】本発明による実施例の外観図である。
【図３】本発明による継鉄を有する永久磁石組込の一実施例である。
【図４】本発明による継鉄を有する永久磁石組込の一実施例である。
【図５】従来の技術による永久磁石組込の一実施例である。
【図６】従来の技術による永久磁石組込の一実施例である。
【符号の説明】
１　　給水管
２　　蛇口固定具
３　　通水路切換部
４　　通水路切換ツマミ
５　　濾過材容器（単数または複数の濾過材を収容）
６　　磁気処理水給水口
７　　浄水給水口（磁気処理と濾過後の水の給水口）
８　　通水方向を示す細い矢印
９　　永久磁石
１０　継鉄
１１　磁力線の方向を示す太い矢印
【図１】
2004008875.tif 000006
【図２】
2004008875.tif 000007
【図３】
2004008875.tif 000008
【図４】
2004008875.tif 000009
【図５】
2004008875.tif 000010
【図６】
2004008875.tif 000011